(57)【要約】【課題】ユーザーにとって買換えや再設定登録などの利用負担の少ない体組成指標推定システムを提供する。【解決手段】基礎身体指標測定手段２により体組成指標に相関関係をもたらす基礎身体指標を測定し、基礎身体指標リレー手段３によりこの測定された基礎身体指標を身体指標管理ユニット４に電気通信ネットワーク１００を介して送信し、体組成指標化処理手段６によりこの送信された基礎身体指標に基づいた体組成指標を、管理者サイドにおける相関式変更手段５によって変更可能な基礎身体指標と体組成指標の相関式に従って計算し、電気通信ネットワーク１００を介して身体指標確認端末ユニット７にこの計算した体組成指標を送信し、体組成指標確認端末手段８によりこの送信された体組成指標をユーザーに対して出力する。【選択図】図１
2008061775.tif 000002
【特許請求の範囲】
【請求項１】
電気通信ネットワークを介して接続される、身体指標を取得する身体指標取得ユニットと前記身体指標取得ユニットにより取得された身体指標を管理する身体指標管理ユニットと前記身体指標管理ユニッットにより管理されている身体指標をユーザーに対して出力する身体指標確認端末ユニットとを備えた身体指標推定システムにおいて、
前記身体指標取得ユニットは、
体組成指標に相関関係をもたらす基礎身体指標を測定する基礎身体指標測定手段と、該基礎身体指標測定手段により測定された基礎身体指標を前記身体指標管理ユニットに前記電気通信ネットワークを介して送信する基礎身体指標リレー手段とを備え、
前記身体指標管理ユニットは、
基礎身体指標と体組成指標の相関式を記憶し、該記憶している相関式に従い、前記基礎身体指標リレー手段により送信された基礎身体指標に基づいた体組成指標を計算し、該計算した体組成指標を前記電気通信ネットワークを介して前記身体指標確認端末ユニットに送信する体組成指標化処理手段と、該体組成指標化処理手段により記憶している相関式を変更する相関式変更手段とを備え、
前記身体指標確認端末ユニットは、
前記体組成指標化処理手段により送信された体組成指標をユーザーに対して出力する体組成指標確認端末手段を備えた、
ことを特徴とする体組成指標推定システム。
【請求項２】
前記基礎身体指標リレー手段は、前記基礎身体指標測定手段により測定された基礎身体指標及び該基礎身体指標に対応するユーザーＩＤを記憶する移動型リレーキーと、該移動型リレーキーにより記憶している基礎身体指標及びユーザーＩＤを前記体組成指標化処理手段に前記電気通信ネットワークを介して送信するリレー端末装置とから成り、
前記基礎身体指標測定手段は、前記基礎身体指標の測定を前記移動型リレーキーと連動することによって行い、
前記移動型リレーキーは、前記基礎身体指標測定手段及び前記リレー端末装置とは別個に移動可能に形成したものである、
ことを特徴とする請求項１記載の体組成指標推定システム。
【請求項３】
前記基礎身体指標測定手段にユーザーＩＤを送信する移動型ＩＤ送信キーを更に備え、
前記基礎身体指標測定手段は、前記基礎身体指標の測定を前記移動型ＩＤ送信キーと連動することによって行い、
前記基礎身体指標リレー手段は、前記基礎身体指標測定手段により測定された基礎身体指標及び該基礎身体指標に対応するユーザーＩＤを記憶し、該記憶している基礎身体指標及びユーザーＩＤを前記体組成指標化処理手段に前記電気通信ネットワークを介して送信するリレー端末装置から成り、
前記移動型ＩＤ送信キーは、前記基礎身体指標測定手段及び前記リレー端末装置とは別個に移動可能に形成したものである、
ことを特徴とする請求項１記載の体組成指標推定システム。
【請求項４】
前記体組成指標確認端末手段は、ユーザーＩＤに対応する体組成指標を前記体組成指標化処理手段に前記電気通信ネットワークを介して要求し、
前記体組成指標化処理手段は、
前記基礎身体指標測定手段により測定される基礎身体指標と共になって体組成指標に相関関係をもたらす別の基礎身体指標、及び該基礎身体指標に対応するユーザーＩＤを記憶する基礎身体指標記憶サーバーと、
前記リレー端末装置により前記電気通信ネットワークを介してユーザーＩＤとともに送信された基礎身体指標及び前記基礎身体指標記憶サーバーによりユーザーＩＤとともに記憶している基礎身体指標に基づいた体組成指標を前記相関式に従って計算する体組成指標計算サーバーと、
前記体組成指標計算サーバーにより計算された体組成指標及び該体組成指標に対応するユーザーＩＤを記憶し、該記憶している体組成指標を前記体組成指標確認端末手段による要求に基づいて送信する体組成指標記憶サーバーとを備えた、
ことを特徴とする請求項２又は３記載の体組成指標推定システム。
【発明の詳細な説明】
【技術分野】
【０００１】
本発明は、体組成指標（身体を構成する成分や組織についての指標をいう。例えば、体脂肪率、内臓脂肪面積、筋肉量、体水分量、骨量など）について推定する体組成指標推定システムに関する。
【背景技術】
【０００２】
従来の体組成指標推定装置は、体重、身長、年齢、性別、身体インピーダンスといった身体指標を入力したり測定したりすることによって取得し、この取得した身体指標を原始として体組成指標について推定するものであった。
【０００３】
このような体組成指標推定装置の一例として、特許文献１に体組成測定装置が開示されている。この体組成測定装置は、入力装置によって身長を入力し、体重測定装置によって体重を測定し、電流印加手段・電圧測定手段・生体電気インピーダンス算出手段によって生体電気インピーダンス（身体インピーダンス）を測定することによって取得し、演算制御装置によってこれら取得した身長、体重及び生体電気インピーダンスを原始として、始めに、体密度を算出し、次いで、この算出した体密度に基づいて体脂肪率（体組成指標）を算出により推定し、更に、この算出した体脂肪率と先に取得した体重とに基づいて体脂肪量（体組成指標）又は除脂肪量（体組成指標）を算出により推定するものである。
【特許文献１】特開２００４−３２９４１２号公報
【発明の開示】
【発明が解決しようとする課題】
【０００４】
ところで、体組成指標推定装置を開発する事業者では、体組成指標の推定精度がより高い推定式を次々に開発し、より高い推定式を用いて体組成指標を算出により推定する体組成指標推定装置を次々に提供（販売）する。これに対して、体組成指標の推定精度をより高く望むユーザーは、事業者から次々に提供される体組成指標推定装置を次々に購入し直し、その度に、入力情報（測定以外に取得して体組成指標を算出するために原始とする身体指標）を設定登録しなおさなければならず、金銭的及び使用面において負担を要していた。
【０００５】
そこで、本発明は、上記のような従来の問題点を解決することを目的とするもので、ユーザーにとって利用負担の少ない体組成指標推定システムを提供することを課題とする。
【課題を解決するための手段】
【０００６】
本発明の体組成指標推定システムは、電気通信ネットワークを介して接続される、身体指標を取得する身体指標取得ユニットと前記身体指標取得ユニットにより取得された身体指標を管理する身体指標管理ユニットと前記身体指標管理ユニッットにより管理されている身体指標をユーザーに対して出力する身体指標確認端末ユニットとを備えた身体指標推定システムにおいて、前記身体指標取得ユニットは、体組成指標に相関関係をもたらす基礎身体指標を測定する基礎身体指標測定手段と、該基礎身体指標測定手段により測定された基礎身体指標を前記身体指標管理ユニットに前記電気通信ネットワークを介して送信する基礎身体指標リレー手段とを備え、前記身体指標管理ユニットは、基礎身体指標と体組成指標の相関式を記憶し、該記憶している相関式に従い、前記基礎身体指標リレー手段により送信された基礎身体指標に基づいた体組成指標を計算し、該計算した体組成指標を前記電気通信ネットワークを介して前記身体指標確認端末ユニットに送信する体組成指標化処理手段と、該体組成指標化処理手段により記憶している相関式を変更する相関式変更手段とを備え、前記身体指標確認端末ユニットは、前記体組成指標化処理手段により送信された体組成指標をユーザーに対して出力する体組成指標確認端末手段を備えた、ことを特徴とする。
【０００７】
また、前記基礎身体指標リレー手段は、前記基礎身体指標測定手段により測定された基礎身体指標及び該基礎身体指標に対応するユーザーＩＤを記憶する移動型リレーキーと、該移動型リレーキーにより記憶している基礎身体指標及びユーザーＩＤを前記体組成指標化処理手段に前記電気通信ネットワークを介して送信するリレー端末装置とから成り、前記基礎身体指標測定手段は、前記基礎身体指標の測定を前記移動型リレーキーと連動することによって行い、前記移動型リレーキーは、前記基礎身体指標測定手段及び前記リレー端末装置とは別個に移動可能に形成したものである、ことを特徴とする。
【０００８】
また、前記基礎身体指標測定手段にユーザーＩＤを送信する移動型ＩＤ送信キーを更に備え、前記基礎身体指標測定手段は、前記基礎身体指標の測定を前記移動型ＩＤ送信キーと連動することによって行い、前記基礎身体指標リレー手段は、前記基礎身体指標測定手段により測定された基礎身体指標及び該基礎身体指標に対応するユーザーＩＤを記憶し、該記憶している基礎身体指標及びユーザーＩＤを前記体組成指標化処理手段に前記電気通信ネットワークを介して送信するリレー端末装置から成り、前記移動型ＩＤ送信キーは、前記基礎身体指標測定手段及び前記リレー端末装置とは別個に移動可能に形成したものである、ことを特徴とする。
【０００９】
また、前記体組成指標確認端末手段は、ユーザーＩＤに対応する体組成指標を前記体組成指標化処理手段に前記電気通信ネットワークを介して要求し、前記体組成指標化処理手段は、前記基礎身体指標測定手段により測定される基礎身体指標と共になって体組成指標に相関関係をもたらす別の基礎身体指標、及び該基礎身体指標に対応するユーザーＩＤを記憶する基礎身体指標記憶サーバーと、前記リレー端末装置により前記電気通信ネットワークを介してユーザーＩＤとともに送信された基礎身体指標及び前記基礎身体指標記憶サーバーによりユーザーＩＤとともに記憶している基礎身体指標に基づいた体組成指標を前記相関式に従って計算する体組成指標計算サーバーと、前記体組成指標計算サーバーにより計算された体組成指標及び該体組成指標に対応するユーザーＩＤを記憶し、該記憶している体組成指標を前記体組成指標確認端末手段による要求に基づいて送信する体組成指標記憶サーバーとを備えた、ことを特徴とする。
【発明の効果】
【００１０】
本発明の体組成指標推定システムは、基礎身体指標測定手段により体組成指標に相関関係をもたらす基礎身体指標を測定し、基礎身体指標リレー手段によりこの測定された基礎身体指標を身体指標管理ユニットに電気通信ネットワークを介して送信し、体組成指標化処理手段によりこの送信された基礎身体指標に基づいた体組成指標を、管理者サイドによる変更が可能な基礎身体指標と体組成指標の相関式に従って計算し、電気通信ネットワークを介して身体指標確認端末ユニットにこの計算した体組成指標を送信し、体組成指標確認端末手段によりこの送信された体組成指標をユーザーに対して出力するので、ユーザーには買換えや再設定登録などの利用負担がかからずに、常に最良の体組成指標を提供することができる。
【００１１】
また、本発明の体組成指標推定システムは、基礎身体指標測定装置による基礎身体指標の測定が移動型リレーキー又は移動型ＩＤ送信キーと連動することによって行い、体組成指標を算出するための相関式の変更を管理者サイドにおいて可能とし、移動型リレーキー又は移動型ＩＤ送信キーからのユーザーＩＤに基づいてデータを処理するので、ユーザーには利用上負担がかからずに、常に最良の体組成指標をより便利に提供することができる。
【発明を実施するための最良の形態】
【００１２】
図１の体組成指標推定システムの構成を機能的に示すシステム構成図に表されるように、本発明の体組成指標推定システムは、基礎身体指標測定手段２及び基礎身体指標リレー手段３を備えて身体指標を取得する身体指標取得ユニット１と、相関式変更手段５及び体組成指標化処理手段６を備えて身体指標取得ユニット１により取得された身体指標を管理する身体指標管理ユニット４と、体組成指標確認端末手段８を備えて身体指標管理ユニット４により管理されている身体指標をユーザーに対して出力する身体指標確認端末ユニット７とから構成し、これら各ユニット１，４，７は、電気通信ネットワーク（インターネット、携帯電話通信網など）１００を介して接続されるものである。なお、身体指標取得ユニット１及び身体指標確認端末ユニット７は体組成指標の推定の提供を受けるユーザーサイドにおいて利用され、身体指標管理ユニット４は体組成指標の推定を提供する管理者（事業者など）サイドにおいて利用されるものである。
【００１３】
基礎身体指標測定手段２は、体組成指標に相関関係をもたらす基礎身体指標（身体インピーダンス、体重など）を測定する。
【００１４】
基礎身体指標リレー手段３は、基礎身体指標測定手段２により測定された基礎身体指標を身体指標管理ユニット４に電気通信ネットワーク１００を介して送信する。
【００１５】
体組成指標化処理手段６は、基礎身体指標と体組成指標の相関式を記憶し、この記憶している基礎身体指標と体組成指標の相関式に基礎身体指標リレー手段３により送信された基礎身体指標を代入することによって体組成指標を計算し、この計算した体組成指標を、電気通信ネットワーク１００を介して身体指標確認端末ユニット７に送信する。なお、体組成指標化処理手段６は、体組成指標の計算について、基礎身体指標測定手段２により測定される基礎身体指標と共になって体組成指標に相関関係をもたらす別の基礎身体指標（身長、年齢、性別など）を予め記憶し、この記憶している基礎身体指標及び基礎身体指標リレー手段３により送信された基礎身体指標を基礎身体指標と体組成指標の相関式に代入することによって行ってもよい。
【００１６】
相関式変更手段５は、体組成指標化処理手段６により記憶している基礎身体指標と体組成指標の相関式を管理者サイドによって変更可能とする。
【００１７】
体組成指標確認端末手段８は、体組成指標化処理手段６により送信された体組成指標をユーザーに対して出力する。
【００１８】
このように構成した体組成指標推定システムによると、基礎身体指標測定手段２により体組成指標に相関関係をもたらす基礎身体指標を測定し、基礎身体指標リレー手段３によりこの測定された基礎身体指標を身体指標管理ユニット４に電気通信ネットワーク１００を介して送信し、体組成指標化処理手段６によりこの送信された基礎身体指標（又は、この送信された基礎身体指標及び体組成指標化処理手段６に記憶している基礎身体指標）を基礎身体指標と体組成指標の相関式に代入することによって体組成指標を計算し、電気通信ネットワーク１００を介して身体指標確認端末ユニット７にこの計算した体組成指標を送信し、体組成指標確認端末手段８によりこの送信された体組成指標をユーザーに対して出力し、且つ、相関式変更手段５により記憶している基礎身体指標と体組成指標の相関式の変更を管理者サイドにおいて可能とする。よって、ユーザーには買換えや再設定登録などの利用負担がかからずに、常に最良の体組成指標を提供ができるものとなる。
【００１９】
以下、上述した形態における実施例について具体的に説明する。
【実施例１】
【００２０】
まず、図２の体組成指標推定システムの構成を示すシステム構成図を用いて、本発明の実施例１としての体組成指標推定システムの構成について具体的に説明する。
【００２１】
実施例１における体組成指標推定システムは、基礎身体指標測定装置１１、移動型リレーキー１２及びＰＣ（Personal Computer：パーソナルコンピューター）１３をユーザーサイド１０に備え、基礎身体指標記憶サーバー２１、体組成指標計算サーバー２２及び体組成指標記憶サーバー２３を管理者（事業者）サイド２０に備える。そして、ＰＣ１３と各サーバー２１，２２，２３とは、ルーター（図示省略）を介してインターネット１０１に接続されるものである。
【００２２】
基礎身体指標測定装置１１は、上述した基礎身体指標測定手段２に該当するもので、通電用電極１１ａ及び測定用電極１１ｂを体重計の載り台１１ｃに有し、基礎身体指標として身体インピーダンス及び体重を測定する。また、赤外線、小電力無線などによるワイヤレス通信手段１１ｄを有し、これによって移動型リレーキー１２とデータ（ユーザーＩＤ、基礎身体指標（身体インピーダンス、体重））の通信を行う。
【００２３】
移動型リレーキー１２は、上述した基礎身体指標リレー手段３の一部に該当するもので、基礎身体指標測定装置１１により測定された基礎身体指標（身体インピーダンス、体重）及びこの基礎身体指標（身体インピーダンス、体重）に対応するユーザーを識別するためのユーザーＩＤを記憶し、携帯して移動可能に形成したものである。より具体的には、移動型リレーキー１２は、携帯ライター程度の大きさで、赤外線、小電力無線などによるワイヤレス通信手段を有し、これによって基礎身体指標測定装置１１とデータ（ユーザーＩＤ、基礎身体指標（身体インピーダンス、体重））の通信を行う。また、移動型リレーキー１２は、記憶手段を有し、通信に係るデータ（ユーザーＩＤ、基礎身体指標（身体インピーダンス、体重））を記憶する。更に、移動型リレーキー１２は、スライドキー１２ｂをスライドさせることにより移動型リレーキー１２の外部に出したり内部に格納したりすることができるＵＳＢ端子１２ｃを有し、ＰＣ１３に接続して記憶しているデータ（ユーザーＩＤ、基礎身体指標（身体インピーダンス、体重））を送信する。
【００２４】
ＰＣ１３は、上述した基礎身体指標リレー手段３の一部に該当するもので、移動型リレーキー１２により記憶しているデータ（ユーザーＩＤ、基礎身体指標（身体インピーダンス、体重））を体組成指標計算サーバー２２にインターネット１０１を介して送信するリレー端末装置である。また、ＰＣ１３は、上述した体組成指標確認端末手段８に該当するもので、ユーザーＩＤに対応する体組成指標（体脂肪率）を体組成指標記憶サーバー２３にインターネット１０１を介して要求し、体組成指標記憶サーバー２３により送信された体組成指標（体脂肪率）をユーザーに対して表示する。より具体的には、ＰＣ１３は、データ（ユーザーＩＤ、基礎身体指標（身体インピーダンス、体重））を通信するためのソフトウェア記録媒体に従って、移動型リレーキー１２とデータ（ユーザーＩＤ、基礎身体指標（身体インピーダンス、体重））の通信を行い、体組成指標計算サーバー２２とデータ（ユーザーＩＤ、基礎身体指標（身体インピーダンス、体重））の通信を行い、体組成指標記憶サーバー２３とデータ（ユーザーＩＤ、体組成指標（体脂肪率））の通信を行うことによって取得した体組成指標（体脂肪率）を表示部１３ａにて表示する。
【００２５】
基礎身体指標記憶サーバー２１は、上述した体組成指標化処理手段６の一部に該当するもので、基礎身体指標測定装置１１により測定される基礎身体指標（身体インピーダンス、体重）と共になって体組成指標に相関関係をもたらす基礎身体指標（身体インピーダンス、体重）とは別の基礎身体指標（身長、性別、年齢）、及びこの基礎身体指標（身長、性別、年齢）に対応するユーザーを識別するためのユーザーＩＤを記憶し、体組成指標計算サーバー２２とデータの通信を行う。なお、この記憶される基礎身体指標（身長、性別、年齢）及びユーザーＩＤは、様々な手法により入力可能であり、例えば、基礎身体指標記憶サーバー２１に有する入力操作部から入力したり、ユーザーサイド１０からインターネット１０１を通じて入力したりできる。
【００２６】
体組成指標計算サーバー２２は、上述した体組成指標化処理手段６の一部に該当するもので、基礎身体指標（身体インピーダンス、体重、身長、性別、年齢）と体組成指標（体脂肪率）の相関式を記憶し、基礎身体指標（身体インピーダンス、体重、身長、性別、年齢）と体組成指標（体脂肪率）の相関式に、ＰＣ１３によりインターネット１０１を介してユーザーＩＤとともに送信された基礎身体指標（身体インピーダンス、体重）及び基礎身体指標記憶サーバー２１によりユーザーＩＤとともに送信された基礎身体指標（身長、性別、年齢）を代入することによって体組成指標（体脂肪率）を計算し、この計算した体組成指標（体脂肪率）をユーザーＩＤとともに体組成指標記憶サーバー２３に送信する。また、体組成指標計算サーバー２２は、上述した相関式変更手段５に該当するものであり、管理者（事業者）サイド２０において記憶している基礎身体指標（身体インピーダンス、体重、身長、性別、年齢）と体組成指標（体脂肪率）の相関式を変更可能である。例えば、基礎身体指標（身体インピーダンス、体重、身長、性別、年齢）と体組成指標（体脂肪率）の相関式の定数を修正したり、基礎身体指標（身体インピーダンス、体重、身長、性別、年齢）と体組成指標（内臓脂肪面積）の相関式に代えたりすることができる。
【００２７】
体組成指標記憶サーバー２３は、体組成指標計算サーバー２２により送信された体組成指標（体脂肪率）及びこの体組成指標（体脂肪率）に対応するユーザーを識別するためのユーザーＩＤを記憶し、ＰＣ１３による要求に基づいてこの記憶する体組成指標（体脂肪率）を送信する。
【００２８】
次ぎに、図３及び図４の体組成指標推定システムの動作に基づくデータの流れについて示すフローチャートを用いて、本発明に係わる体組成指標推定システムの動作に基づくデータの流れについて具体的に説明する。
【００２９】
図３及び図４は、最上段から順に、基礎身体指標測定装置１１、移動型リレーキー１２、ＰＣ１３、体組成指標計算サーバー２２、基礎身体指標記憶サーバー２１、体組成指標記憶サーバー２３における処理の流れを示すとともに、これら各処理ルート間をラインで結ぶことにより相互の通信に基づくデータの流れを示す。また、特に終端子は示されていないが、以下説明される処理が適宜繰り返されるものである。
【００３０】
まず、ユーザー（被測定者）が、移動型リレーキー１２の通信ボタン１２ａを押下すると、移動型リレーキー１２では、ユーザーＩＤなどについてのデータを基礎身体指標測定装置１１にワイヤレスにて送信する（ステップＳ１）。
【００３１】
続いて、基礎身体指標測定装置１１では、この送信されたデータに基づいて、自動的に起動し、基礎身体指標（体重、身体インピーダンス）を測定し（ステップＳ２）、この測定した測定情報、すなわち、基礎身体指標（体重、身体インピーダンス）及びこの基礎身体指標に対応するユーザーＩＤ（すなわち、移動型リレーキー１２から送信されたユーザーＩＤ）についてのデータを移動型リレーキー１２にワイヤレスにて送信する（ステップＳ３）。
【００３２】
続いて、移動型リレーキー１２では、この送信されたデータを受信して記憶する（ステップＳ４）。そして、ユーザー（被測定者）によって、スライドキー１２ｂをスライド操作されることによりＵＳＢ端子１２ｃが移動型リレーキー１２の外部に出され、データが受信可能な状態にあるＰＣ１３のＵＳＢポートに接続されると、移動型リレーキー１２では、記憶しているデータをＰＣ１３に送信する（ステップＳ５）。
【００３３】
続いて、ＰＣ１３では、この送信されたデータを受信し、体組成指標計算サーバー２２にインターネット１０１を介して送信する（ステップＳ６）。
【００３４】
続いて、体組成指標計算サーバー２２では、インターネット１０１を介してＰＣ１３からのデータを受信すると、ユーザーＩＤについてのデータを基礎身体指標記憶サーバー２１に送信する（ステップＳ７）。
【００３５】
続いて、基礎身体指標記憶サーバー２１では、この送信されたユーザーＩＤについてのデータを受信すると、予め入力され（ステップＳ５１）記憶している（ステップＳ５２）ところの入力情報、すなわち、基礎身体指標（身長、性別、年齢）及びこの基礎身体指標に対応するユーザーＩＤについてのデータの中から、この送信されたユーザーＩＤに対応する基礎身体指標（身長、性別、年齢）を選定し、この選定した入力情報（選定入力情報）、すなわち、基礎身体指標（身長、性別、年齢）及びこの基礎身体指標に対応するユーザーＩＤについてのデータを体組成指標計算サーバー２２に送信する（ステップＳ８）。
【００３６】
続いて、体組成指標計算サーバー２２では、この送信されたデータを受信すると、予め記憶している（ステップＳ６１）基礎身体指標（身体インピーダンス、体重、身長、性別、年齢）と体組成指標（体脂肪率）の相関式に、ステップＳ６においてＰＣ１３からインターネット１０１を介して送信された基礎身体指標（身体インピーダンス、体重）及びステップＳ８において基礎身体指標記憶サーバー２１から送信された基礎身体指標（身長、性別、年齢）を代入することによって体組成指標（体脂肪率）を計算し（ステップＳ９）、この計算した計算情報、すなわち、体組成指標（体脂肪率）及びこの体組成指標に対応するユーザーＩＤについてのデータを体組成指標記憶サーバー２３に送信する（ステップＳ１０）。なお、ここで、ステップＳ６１において記憶している相関式は、管理者（事業者）サイドにおいて、基礎身体指標（身体インピーダンス、体重、身長、性別、年齢）と体組成指標（体脂肪率）の相関式の定数が修正されたり、基礎身体指標（身体インピーダンス、体重、身長、性別、年齢）と体組成指標（内臓脂肪面積）の相関式に代えられたりすることによって、適宜変更される（ステップＳ６２）。
【００３７】
続いて、体組成指標記憶サーバー２３では、この送信されたデータを受信して記憶する（ステップＳ１１）。
【００３８】
続いて、ＰＣ１３では、測定結果を閲覧するために、ユーザー（被測定者、又は被測定者に対して指導や管理する者（例えば、医者、世帯を別にする家族など））によって、対象とするユーザー（被測定者）のユーザーＩＤが入力されると、この入力されたユーザーＩＤについてのデータを体組成指標記憶サーバー２３に送信する（ステップＳ１２）。
【００３９】
続いて、体組成指標記憶サーバー２３では、この送信されたデータを受信すると、記憶している計算情報、すなわち、体組成指標（体脂肪率）及びこの体組成指標に対応するユーザーＩＤについてのデータの中から、この送信されたユーザーＩＤに対応する体組成指標（体脂肪率）を選定し、この選定した計算情報（選定計算情報）、すなわち、体組成指標（体脂肪率）及びこの体組成指標に対応するユーザーＩＤについてのデータをＰＣ１３に送信する（ステップＳ１３）。
【００４０】
続いて、ＰＣ１３では、この送信されたデータを受信すると、対象とするユーザー（被測定者）の体組成指標（体脂肪率）を表示部１３ａに表示する（ステップＳ１４）。
【００４１】
以上のような実施例１における体組成指標推定システムでは、基礎身体指標測定装置１１による基礎身体指標の測定が移動型リレーキー１２と連動することによって行い、体組成指標を算出するための相関式の変更を管理者サイド２０において可能とし、移動型リレーキー１２からのユーザーＩＤに基づいてデータを処理することから、ユーザー（被測定者）に対して、利用上負担なく、常に最良の体組成指標をより便利に提供することができる。
【実施例２】
【００４２】
まず、図５の体組成指標推定システムの構成を示すシステム構成図を用いて、本発明の実施例２としての体組成指標推定システムの構成について具体的に説明する。
【００４３】
実施例２における体組成指標推定システムは、基礎身体指標測定装置３１と、移動型ＩＤ送信キー３２と、リレー端末装置３３と、ＰＣ（Personal Computer：パーソナルコンピューター）３４及び／又は携帯電話器３５とをユーザーサイド３０に備え、基礎身体指標記憶サーバー４１、体組成指標計算サーバー４２及び体組成指標記憶サーバー４３を管理者（事業者）サイド４０に備える。そして、リレー端末装置３３、ＰＣ３４及び携帯電話器３５と各サーバー４１，４２，４３とは、インターネット１０１、携帯電話通信網１０２に接続されるものである。
【００４４】
基礎身体指標測定装置３１は、上述した基礎身体指標測定手段２に該当するもので、通電用電極３１ａ及び測定用電極３１ｂを体重計の載り台３１ｃに有し、基礎身体指標として身体インピーダンス及び体重を測定する。また、赤外線、小電力無線などによるワイヤレス通信手段３１ｄを有し、これによって移動型ＩＤ送信キー３２からのデータ（ユーザーＩＤ）を受信し、リレー端末装置３３にデータ（ユーザーＩＤ、基礎身体指標（身体インピーダンス、体重））を送信する。
【００４５】
移動型ＩＤ送信キー３２は、上述した基礎身体指標リレー手段３の一部に該当するもので、ユーザーを識別するためのユーザーＩＤを予め記憶し、また、携帯ライター程度の大きさで、赤外線、小電力無線などによるワイヤレス通信手段を有し、これによって基礎身体指標測定装置３１にデータ（ユーザーＩＤ）を送信する。
【００４６】
リレー端末装置３３は、上述した基礎身体指標リレー手段３の一部に該当するもので、赤外線、小電力無線などによるワイヤレス通信手段を有し、これによって基礎身体指標測定装置３１とデータ（ユーザーＩＤ、基礎身体指標（身体インピーダンス、体重））の通信を行う。また、リレー端末装置３３は、記憶手段を有し、通信に係るデータ（ユーザーＩＤ、基礎身体指標（身体インピーダンス、体重））を記憶する。更に、リレー端末装置３３は、この記憶しているデータ（ユーザーＩＤ、基礎身体指標（身体インピーダンス、体重））を体組成指標計算サーバー４２にインターネット１０１を介して送信する。
【００４７】
基礎身体指標記憶サーバー４１は、上述した体組成指標化処理手段６の一部に該当するもので、基礎身体指標測定装置３１により測定される基礎身体指標（身体インピーダンス、体重）と共になって体組成指標に相関関係をもたらす基礎身体指標（身体インピーダンス、体重）とは別の基礎身体指標（身長、性別、年齢）、及びこの基礎身体指標（身長、性別、年齢）に対応するユーザーを識別するためのユーザーＩＤを記憶し、体組成指標計算サーバー４２とデータの通信を行う。なお、この記憶される基礎身体指標（身長、性別、年齢）及びユーザーＩＤは、様々な手法により入力可能であり、例えば、基礎身体指標記憶サーバー４１に有する入力操作部から入力したり、ユーザーサイドからインターネット１０１、携帯電話通信網１０２を通じて入力したりできる。
【００４８】
体組成指標計算サーバー４２は、上述した体組成指標化処理手段６の一部に該当するもので、基礎身体指標（身体インピーダンス、体重、身長、性別、年齢）と体組成指標（体脂肪率）の相関式を記憶し、基礎身体指標（身体インピーダンス、体重、身長、性別、年齢）と体組成指標（体脂肪率）の相関式に、リレー端末装置３３によりインターネット１０１を介してユーザーＩＤとともに送信された基礎身体指標（身体インピーダンス、体重）及び基礎身体指標記憶サーバー４１によりユーザーＩＤとともに送信された基礎身体指標（身長、性別、年齢）を代入することによって体組成指標（体脂肪率）を計算し、この計算した体組成指標（体脂肪率）をユーザーＩＤとともに体組成指標記憶サーバー４３に送信する。また、体組成指標計算サーバー４２は、上述した相関式変更手段５に該当するもので、管理者（事業者）サイド４０において記憶している基礎身体指標（身体インピーダンス、体重、身長、性別、年齢）と体組成指標（体脂肪率）の相関式を変更可能である。例えば、基礎身体指標（身体インピーダンス、体重、身長、性別、年齢）と体組成指標（体脂肪率）の相関式の定数を修正したり、基礎身体指標（身体インピーダンス、体重、身長、性別、年齢）と体組成指標（内臓脂肪面積）の相関式に代えたりすることができる。
【００４９】
体組成指標記憶サーバー４３は、体組成指標計算サーバー４２により送信された体組成指標（体脂肪率）及びこの体組成指標（体脂肪率）に対応するユーザーを識別するためのユーザーＩＤを記憶し、ＰＣ３４又は携帯電話器３５による要求に基づいてこの記憶する体組成指標（体脂肪率）を送信する。
【００５０】
次ぎに、図６及び図７の体組成指標推定システムの動作に基づくデータの流れについて示すフローチャートを用いて、本発明に係わる体組成指標推定システムの動作に基づくデータの流れについて具体的に説明する。
【００５１】
図６及び図７は、最上段から順に、基礎身体指標測定装置３１、移動型ＩＤ送信キー３２、リレー端末装置３３、ＰＣ３４又は携帯電話器３５、体組成指標計算サーバー４２、基礎身体指標記憶サーバー４１、体組成指標記憶サーバー４３における処理の流れを示すとともに、これら各処理ルート間をラインで結ぶことにより相互の通信に基づくデータの流れを示す。また、特に終端子は示されていないが、以下説明される処理が適宜繰り返されるものである。
【００５２】
まず、ユーザー（被測定者）が、移動型ＩＤ送信キー３２の通信ボタン３２ａを押下すると、移動型ＩＤ送信キー３２では、ユーザーＩＤについてのデータを基礎身体指標測定装置３１にワイヤレスにて送信する（ステップＳ１０１）。
【００５３】
続いて、基礎身体指標測定装置３１では、この送信されたデータに基づいて、自動的に起動し、基礎身体指標（体重、身体インピーダンス）を測定し（ステップＳ１０２）、この測定した測定情報、すなわち、基礎身体指標（体重、身体インピーダンス）及びこの基礎身体指標に対応するユーザーＩＤ（すなわち、移動型ＩＤ送信キー３２から送信されたユーザーＩＤ）についてのデータをリレー端末装置３３にワイヤレスにて送信する（ステップＳ１０３）。
【００５４】
続いて、リレー端末装置３３では、この送信されたデータを受信して記憶し（ステップＳ１０４）、体組成指標計算サーバー４２にインターネット１０１を介して送信する（ステップＳ１０５）。
【００５５】
続いて、体組成指標計算サーバー４２では、インターネット１０１を介してリレー端末装置３３からのデータを受信すると、ユーザーＩＤについてのデータを基礎身体指標記憶サーバー４１に送信する（ステップＳ１０６）。
【００５６】
続いて、基礎身体指標記憶サーバー４１では、この送信されたユーザーＩＤについてのデータを受信すると、予め入力され（ステップＳ１５１）記憶している（ステップＳ１５２）ところの入力情報、すなわち、基礎身体指標（身長、性別、年齢）及びこの基礎身体指標に対応するユーザーＩＤについてのデータの中から、この送信されたユーザーＩＤに対応する基礎身体指標（身長、性別、年齢）を選定し、この選定した入力情報（選定入力情報）、すなわち、基礎身体指標（身長、性別、年齢）及びこの基礎身体指標に対応するユーザーＩＤについてのデータを体組成指標計算サーバー４２に送信する（ステップＳ１０７）。
【００５７】
続いて、体組成指標計算サーバー４２では、この送信されたデータを受信すると、予め記憶している（ステップＳ１６１）基礎身体指標（身体インピーダンス、体重、身長、性別、年齢）と体組成指標（体脂肪率）の相関式に、ステップＳ１０５においてリレー端末装置３３からインターネット１０１を介して送信された基礎身体指標（身体インピーダンス、体重）及びステップＳ１０７において基礎身体指標記憶サーバー４１から送信された基礎身体指標（身長、性別、年齢）を代入することによって体組成指標（体脂肪率）を計算し（ステップＳ１０８）、この計算した計算情報、すなわち、体組成指標（体脂肪率）及びこの体組成指標に対応するユーザーＩＤについてのデータを体組成指標記憶サーバー４３に送信する（ステップＳ１０９）。なお、ここで、ステップＳ１６１において記憶している相関式は、管理者（事業者）サイド４０において、基礎身体指標（身体インピーダンス、体重、身長、性別、年齢）と体組成指標（体脂肪率）の相関式の定数が修正されたり、基礎身体指標（身体インピーダンス、体重、身長、性別、年齢）と体組成指標（内臓脂肪面積）の相関式に代えられたりすることによって、適宜変更される（ステップＳ１６２）。
【００５８】
続いて、体組成指標記憶サーバー４３では、この送信されたデータを受信して記憶する（ステップＳ１１０）。
【００５９】
続いて、ＰＣ３４又は携帯電話器３５では、測定結果を閲覧するために、ユーザー（被測定者、又は被測定者に対して指導や管理する者（例えば、医者、世帯を別にする家族など））によって、対象とするユーザー（被測定者）のユーザーＩＤが入力されると、この入力されたユーザーＩＤについてのデータを体組成指標記憶サーバー４３に送信する（ステップＳ１１１）。
【００６０】
続いて、体組成指標記憶サーバー４３では、この送信されたデータを受信すると、記憶している計算情報、すなわち、体組成指標（体脂肪率）及びこの体組成指標に対応するユーザーＩＤについてのデータの中から、この送信されたユーザーＩＤに対応する体組成指標（体脂肪率）を選定し、この選定した計算情報（選定計算情報）、すなわち、体組成指標（体脂肪率）及びこの体組成指標に対応するユーザーＩＤについてのデータをＰＣ３４に送信する（ステップＳ１１２）。
【００６１】
続いて、ＰＣ３４又は携帯電話器３５では、この送信されたデータを受信すると、対象とするユーザー（被測定者）の体組成指標（体脂肪率）を表示部３４ａ，３５ａに表示する（ステップＳ１１３）。
【００６２】
以上のような実施例２における体組成指標推定システムによると、基礎身体指標測定装置３１による基礎身体指標の測定が移動型ＩＤ送信キー３２と連動することによって行い、体組成指標を算出するための相関式の変更を管理者サイドにおいて可能とし、移動型ＩＤ送信キー３２からのユーザーＩＤに基づいてデータを処理することから、ユーザー（被測定者）に対して、利用上負担なく、常に最良の体組成指標をより便利に提供することができる。
【００６３】
なお、上述した実施例１，２では、基礎身体指標として、身体インピーダンス、体重、身長、性別、年齢について例示したが、これらのパラメーターに限定されるものではない。また、体組成指標として、体脂肪率、内臓脂肪面積について例示したが、筋肉量、体水分量、骨量などの推定も可能である。また、体組成指標として、新しい指標が出来た場合の推定も可能である。
【図面の簡単な説明】
【００６４】
【図１】本発明の体組成指標推定システムの構成を機能的に示すシステム構成図である。
【図２】本発明の体組成指標推定システムの構成を示すシステム構成図である。（実施例１）
【図３】本発明の体組成指標推定システムの動作に基づくデータの前半の流れについて示すフローチャートである。（実施例１）
【図４】本発明の体組成指標推定システムの動作に基づくデータの後半の流れについて示すフローチャートである。（実施例１）
【図５】本発明の体組成指標推定システムの構成を示すシステム構成図である。（実施例２）
【図６】本発明の体組成指標推定システムの動作に基づくデータの前半の流れについて示すフローチャートである。（実施例２）
【図７】本発明の体組成指標推定システムの動作に基づくデータの後半の流れについて示すフローチャートである。（実施例２）
【符号の説明】
【００６５】
１  身体指標取得ユニット
２  基礎身体指標測定手段
３  基礎身体指標リレー手段
４  身体指標管理ユニット
５  相関式変更手段
６  体組成指標化処理手段
７  身体指標確認端末ユニット
８  体組成指標確認端末手段
１０、３０  ユーザーサイド
１１、３１  基礎身体指標測定装置
１１ａ  通電用電極
１１ｂ  測定用電極
１１ｃ  載り台
１１ｄ、３１ｄ  ワイヤレス通信手段
１２  移動型リレーキー
１２ａ  通信ボタン
１２ｂ  スライドキー
１２ｃ  ＵＳＢ端子
１３、３４  ＰＣ
１３ａ、３４ａ  表示部
２０、４０  管理者（事業者）サイド
２１、４１  基礎身体指標記憶サーバー
２２、４２  体組成指標計算サーバー
２３、４３  体組成指標記憶サーバー
３２  移動型ＩＤ送信キー
３２ａ  通信ボタン
３３  リレー端末装置
３５  携帯電話器
３５ａ  表示部
１００  電気通信ネットワーク
【図１】
2008061775.tif 000003
【図２】
2008061775.tif 000004
【図３】
2008061775.tif 000005
【図４】
2008061775.tif 000006
【図５】
2008061775.tif 000007
【図６】
2008061775.tif 000008
【図７】
2008061775.tif 000009